(57)【特許請求の範囲】
【請求項１】
光源手段により照明された原稿を結像手段で結像させて読み取る光電変換手段と、
前記光電変換手段とともに光電変換ユニットを構成する第一固定部材と、
前記第一固定部材と第１の摺動接触部で摺動接触する第二固定部材と、
前記第二固定部材と第２の摺動接触部で摺動接触する第三固定部材と、
前記第三固定部材と前記結像手段とを夫々組付ける画像読取ユニット本体とを有し、
前記第三固定部材は、前記画像読取ユニット本体に着脱可能に固定され、前記第１及び第２の摺動接触部は、位置調整後に接着剤にて固定される
ことを特徴とする画像読取ユニット。
【請求項２】
前記光電変換手段はラインセンサであり、前記第１と第２の摺動接触部により、前記ラインセンサの主走査方向であるＸ軸、前記ラインセンサに入射する光路方向であるＺ軸、Ｘ軸Ｚ軸の両軸と直交するＹ軸に対して、各軸方向への平行移動及びＹ軸回りとＺ軸回りの回転移動の５方向に独立して位置調整可能であることを特徴とする請求項１記載の画像読取ユニット。
【請求項３】
前記第１及び第２の摺動接触部のうちの一方は、摺動接触する２つの部材のうち一方が有する、Ｚ軸方向に延出する延出部と、該２つの部材の他方が有する、該延出部をＹ軸に垂直な面上に揺動可能に摺動接触させる揺動面部と、を備え、前記光電変換手段のＺ軸方向への平行移動及びＹ軸回りの回転移動を可能とし、
他方は、摺動接触する２つの部材の隣り合うＺ軸に垂直な面により構成され、前記光電変換手段のＸ軸，Ｙ軸方向への平行移動及びＺ軸回りの回転移動を可能とすることを特徴とする請求項１記載の画像読取ユニット。
【請求項４】
前記第１及び第２の摺動接触部の一方において、前記延出部は断面略Ｔ形状部を備え、前記揺動面部は該延出部の断面略Ｔ形状部と嵌合する嵌合部を備えることを特徴とする請求項３記載の画像読取ユニット。
【請求項５】
前記第１及び第２の摺動接触部の他方において、摺動接触する２つの部材のうち一方は、該２つの部材の他方を係合する係合手段を備えることを特徴とする請求項３または４記
載の画像読取ユニット。
【請求項６】
前記第１及び第２の摺動接触部において、摺動接触する２つの部材のうち少なくとも一方に溝部を備えることを特徴とする請求項１記載の画像読取ユニット。
【請求項７】
前記第１及び第２の摺動接触部において、摺動接触する２つの部材の両方に溝部を備える場合、該２つの部材の溝部は互いに交差することを特徴とする請求項６記載の画像読取ユニット。
【請求項８】
前記溝部は、前記第１及び第２の摺動接触部のうち少なくとも一方において、摺動接触する領域の外部に渡って設けられることを特徴とする請求項６または７記載の画像読取ユニット。
【請求項９】
前記第１及び第２の摺動接触部のうち少なくとも一方において、摺動接触する２つの部材の端部は、接着剤が注入可能な切り欠き状の形状の切り欠き状部を備えることを特徴とする請求項１記載の画像読取ユニット。
【請求項１０】
前記第１及び第２の摺動接触部のうち少なくとも一方において、摺動接触する２つの部材のうち一方に接着剤が流れ込むための穴部を備え、他方に該穴部から流れ込む接着剤を受ける受け部を備えることを特徴とする請求項１記載の画像読取ユニット。
【請求項１１】
前記第三固定部材を前記画像読取ユニット本体に着脱可能に保持固定する第１の取付部材を備え、前記第１の取付部材は、前記光電変換ユニット及び前記第二、第三固定部材との調整範囲外に取り付けられることを特徴とする請求項１記載の画像読取ユニット。
【請求項１２】
前記光電変換手段を前記光電変換ユニットに着脱可能に保持固定する第２の取付部材を備えることを特徴とする請求項１記載の画像読取ユニット。
【請求項１３】
前記第二固定部材は、前記光電変換手段より大きな開口部を備えることを特徴とする請求項１記載の画像読取ユニット。
【請求項１４】
前記第三固定部材は、前記光電変換手段より大きな開口部を備えることを特徴とする請求項１記載の画像読取ユニット。
【請求項１５】
前記接着剤の動粘性係数ν（但し、ν＝μ（流体の粘性係数（Ｐａ・ｓ））／ρ（流体の密度（ｋｇ／ｍ3）））は、１．０×１０-3〜２．０×１０-6（ｍ2／ｓ）であることを特徴とする請求項１記載の画像読取ユニット。
【請求項１６】
請求項１記載の画像読取ユニットを備え、前記原稿の画像を該画像読取ユニットにより読み込んで画像情報を形成することを特徴とする画像読取装置。
【発明の詳細な説明】
【０００１】
【発明の属する技術分野】
本発明は、例えば、スキャナ、複写機、あるいは、ファクシミリ装置などの、原稿の画像を読み取る画像読取装置に関し、特に、これらの装置に備えられる画像読取ユニットに関するものである。
【０００２】
【従来の技術】
従来、原稿の画像情報を読み込んでデジタル画像情報を形成するイメージスキャナなどの様々な画像読取装置が実用化されている。
【０００３】
近年このような画像読取装置においては、画像読取ユニット（キャリッジ）自身は大きくなるが、装置全体としては構成が簡略化することが可能で、さらに光学調整がユニット内だけで完結する一体型光学系ユニットが多用されはじめている。
【０００４】
この一体型光学系ユニットである、画像読取ユニット（キャリッジ）を利用して、原稿を読み取る画像読取装置の一例を、図１６〜図１８を用いて説明する。図１８はこの画像読取装置を示す概略断面図である。
【０００５】
画像情報を読み込むため、原稿Ｐは原稿台ガラス９１上に、装置ケースの内側へ即ち原稿Ｐを下向きに規定の位置にセットして、原稿Ｐが原稿台ガラス９１上をズレないように原稿圧板９２で、原稿Ｐの後側となる上側より押える。
【０００６】
原稿Ｐに原稿台ガラス９１により、対向した光電変換手段（イメージセンサ）２を有する画像読取ユニット（キャリッジ）１０１は、一直線分の画像情報（１ライン分の主走査による画像情報）を読めるように構成され、原稿Ｐの画像情報を読み込むため、原稿Ｐの先端部から後端部へと、図示しない駆動モータにより、副走査方向（図中矢印方向）に平行移動してゆく。これにより原稿画像の二次元の平面画像が読み取り可能となっている。
【０００７】
図１７は、画像読取ユニット（キャリッジ）１０１の拡大断面図を示し、図１６は、その画像読取ユニット（キャリッジ）の基本構成図（ランプ等は省略）を示す。
【０００８】
光源としてのランプ３と、ランプ３の裏側の反射ミラー（反射笠）４と、ランプ３の近傍の反射ミラー（反射笠）５により、原稿Ｐの所要部分を線状に主走査方向に照明する。
【０００９】
ここで、原稿Ｐをセットする原稿台ガラス９１の図示は省略する。
【００１０】
原稿Ｐの画像面で反射された光は、光学第一ミラー６，第二ミラー７，第三ミラー８，第四ミラー９，第五ミラー１０により、光学像を結像するレンズユニット１１へ導かれ、光電変換手段としてのイメージセンサ２へと、原稿画像を結像させる。
【００１１】
イメージセンサ２は、光電変換を行って画像情報を形成するものである。
【００１２】
そして、１ラインデータ分を処理した後、画像読取ユニット（キャリッジ）１０１を１ライン分のみ副走査方向に移動して、同様に画像情報を作成し、これを繰り返して行くものである。
【００１３】
また、主走査方向において光源３から原稿Ｐに対する照度が不均一になっていたり、イメージセンサ２の画素毎に異なる特性を持っていたりする場合がある。そのため、画像情報を作成するのにバラツキが大きくなってしまう。
【００１４】
この補正をするために、白色および黒色のシェーディング補正が必要であり、白色シェーディング用の白色基準板、黒色のシェーディング用の黒色基準板は、画像読取ユニット（キャリッジ）１０１が副走査方向の延長上で、かつ、原稿画像読み込み範囲外で、それぞれシェーディング可能な位置に設けられている。
【００１５】
【発明が解決しようとする課題】
しかしながら、上記のような従来技術の場合には、下記のような問題が生じていた。
【００１６】
上述したことからもわかるように、画像読取ユニット（キャリッジ）の光学調整は、ユニット内だけで完結するので、より高解像のイメージセンサが使用可能になる。
【００１７】
高解像イメージセンサの実力を存分に発揮させるためには、もう一つの重要な部品であるレンズユニットの性能も、高解像イメージセンサに見合ったものが必要である。
【００１８】
よって、光学調整の技術精度もかなりの高精度に成らなければ、せっかくの高解像イメージセンサおよび高性能レンズユニットの能力を生かすことができないという問題が生じる。
【００１９】
通常イメージセンサは、キャリッジに対して自由空間に半田付け等により、固定されるので、むやみに光学調整の技術精度をあげるために、高精度の組立調整治具等を使用しても、最後の半田付けによる固定時にわずかにズレが生じてしまったり、組立性が著しく悪くなってしまった。
【００２０】
また光学調整不良をおこした場合、原稿画像の読取不良や画像読取ユニットの再生利用に手間がかかりすぎてしまう。
【００２１】
本発明は上記の従来技術の課題を解決するためになされたもので、その目的とするところは、光電変換手段を備えたユニットを本体に固定する際の組立性を向上させた画像読取ユニット及び画像読取装置を提供することにある。
【００２２】
【課題を解決するための手段】
上記目的を達成するために本発明にあっては、
光源手段により照明された原稿を結像手段で結像させて読み取る光電変換手段と、
前記光電変換手段とともに光電変換ユニットを構成する第一固定部材と、
前記第一固定部材と第１の摺動接触部で摺動接触する第二固定部材と、
前記第二固定部材と第２の摺動接触部で摺動接触する第三固定部材と、
前記第三固定部材と前記結像手段とを夫々組付ける画像読取ユニット本体とを有し、
前記第三固定部材は、前記画像読取ユニット本体に着脱可能に固定され、前記第１及び第２の摺動接触部は、位置調整後に接着剤にて固定されることを特徴とする。
【００３３】
前記光電変換手段はラインセンサであり、前記第１と第２の摺動接触部により、前記ラインセンサの主走査方向であるＸ軸、前記ラインセンサに入射する光路方向であるＺ軸、Ｘ軸Ｚ軸の両軸と直交するＹ軸に対して、各軸方向への平行移動及びＹ軸回りとＺ軸回りの回転移動の５方向に独立して位置調整可能とすることも好適である。
【００３４】
前記第１及び第２の摺動接触部のうち一方は、摺動接触する２つの部材のうち一方が有する、Ｚ軸方向に延出する延出部と、該２つの部材の他方が有する、該延出部をＹ軸に垂直な面上に揺動可能に摺動接触させる揺動面部と、を備え、前記光電変換手段のＺ軸方向への平行移動及びＹ軸回りの回転移動を可能とし、
他方は、摺動接触する２つの部材の隣り合うＺ軸に垂直な面により構成され、前記光電変換手段のＸ軸，Ｙ軸方向への平行移動及びＺ軸回りの回転移動を可能とすることも好適である。
【００３５】
前記第１及び第２の摺動接触部の一方において、
前記延出部は断面略Ｔ形状部を備え、前記揺動面部は該延出部の断面略Ｔ形状部と嵌合する嵌合部を備えることも好適である。
【００３６】
前記第１及び第２の摺動接触部の他方において、
摺動接触する２つの部材のうち一方は、該２つの部材の他方を係合する係合手段を備えることも好適である。
【００３７】
前記第１及び第２の摺動接触部において、摺動接触する２つの部材のうち少なくとも一方に溝部を備えることも好適である。
【００３８】
前記第１及び第２の摺動接触部において、摺動接触する２つの部材の両方に溝部を備える場合、該２つの部材の溝部は互いに交差することも好適である。
【００３９】
前記溝部は、前記第１及び第２の摺動接触部のうち少なくとも一方において、摺動接触する領域の外部に渡って設けられることも好適である。
【００４０】
前記第１及び第２の摺動接触部のうち少なくとも一方において、摺動接触する２つの部材の端部は、接着剤が注入可能な切り欠き状の形状の切り欠き状部を備えることも好適である。
【００４１】
前記第１及び第２の摺動接触部のうち少なくとも一方において、摺動接触する２つの部材のうち一方に接着剤が流れ込むための穴部を備え、他方に該穴部から流れ込む接着剤を受ける受け部を備えることも好適である。
【００４２】
画像読取ユニット本体に着脱可能に保持固定される枠体と、該枠体を画像読取ユニット本体に保持固定する第１の取付部材と、を備え、
前記調整部材は、前記第２の摺動接触部において前記枠体と摺動接触し、
前記第１の取付部材は、前記光電変換ユニット及び前記調整部材との干渉範囲外に取り付けられることも好適である。
【００４３】
前記光電変換手段を前記光電変換ユニットに着脱可能に保持固定する第２の取付部材を備えることも好適である。
【００４４】
前記調整部材は、前記光電変換手段より大きな開口部を備えることも好適である。
【００４５】
前記枠体は、前記光電変換手段より大きな開口部を備えることも好適である。
【００４６】
前記接着剤の動粘性係数ν（但し、ν＝μ（流体の粘性係数（Ｐａ・ｓ））／ρ（流体の密度（ｋｇ／ｍ3）））は、１．０×１０-3〜２．０×１０-6（ｍ2／ｓ）であることも好適である。
【００４７】
画像読取装置にあっては、上記記載の画像読取ユニットを備え、原稿画像を該画像読取ユニットにより読み込んで画像情報を形成することを特徴とする。
【００４８】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。なお、従来技術の項で説明した構成と同様の構成部分については同一の符号を付して、その説明は省略する。
【００４９】
まず、実施の形態の説明を行う前に図１６の基本構成図にて、光電変換手段としてのイメージセンサの画像読取ユニット本体に対しての調整のための自由度を簡単に説明する。
【００５０】
原稿Ｐの画像情報の主走査方向の一直線分を、光電変換手段であるイメージセンサの一直線状の素子に、焦点合わせをすることを考える。
【００５１】
その中心光路（光軸）を一点鎖線で示し、この光路（光軸）は第一ミラー６，第二ミラー７，第三ミラー８，第四ミラー９，第五ミラー１０により反射されて折れ曲がり、光学像を結像するレンズユニット１１へ導かれる。
【００５２】
各光学ミラー６〜１０は、キャリッジ本体に一定の位置に固定されていて、調整不要としてある。レンズユニット１１は、倍率調整等のために光路（光軸）に対し長手方向（Ｚ−Ｓ’方向）に移動可能としている。
【００５３】
ここでイメージセンサ２の調整移動の方向を定める。
【００５４】
光路（光軸）の方向をＺ軸、このＺ軸に直交し、ほぼイメージセンサ２の一直線状に並んだ素子の方向と重なる方向をＸ軸とし、このＺ軸とＸ軸の両方に直交する方向をＹ軸とする。
【００５５】
そして、Ｘ軸方向の平行移動をＸ−Ｓと表し、Ｙ軸方向の平行移動をＹ−Ｓと表し、Ｚ軸方向の平行移動をＺ−Ｓと表し、Ｙ軸に対し回転移動をＹ−Ｒと表し、Ｚ軸に対し回転移動をＺ−Ｒと表す。
【００５６】
ここで、Ｘ軸に対しての回転移動を定めていないが、これは画像情報の一直線（読取線分）と素子の一直線（結像線分）の結像合わせであるので、素子の一直線（結像線分）の回転移動が調整に影響しないためである。
【００５７】
これにより、イメージセンサ２はキャリッジに対して、調整移動自由度が五方向必要であり、この五方向の自由度が確保されれば、光学調整可能なことが解る。
【００５８】
図１〜図１５にて、本実施の形態の構成、形状、調整、移動等の説明をする。
【００５９】
図１は、図１７キャリッジ拡大断面図を下方より見た下正面図を示し、図２は、図１下正面図の左側面図を示し、図３は、図１下正面図の中央部を断面Ａ−Ａで見た前断面図を示し、図４は、図１下正面図の前側面図で、主要部を拡大断面で示す。
【００６０】
図からも解るように、本実施の形態の光学調整はキャリッジ１を逆さまにして行われて、光学調整およびイメージセンサ接着工程後の、組立て上がり構成の全様がこのようになる。
【００６１】
なお、本実施の形態で使用する接着剤は、瞬間接着剤を使用し、組立て工程の時間を節約するものであるが、説明上接着剤と記して進めるものである。
【００６２】
瞬間接着剤を使用する利点として、半田付け等に比べその管理が簡単であり、表面張力により拡散して接着面の範囲を広くでき、何より組立時間の短縮が可能となる。
【００６３】
また、従来の紫外線硬化型接着剤の使用に比べた場合、外側より紫外線を照明できない影となってしまう部分は接着できないが、瞬間接着剤はその影となる部分まで流れ込んで強固に接着固定可能である。
【００６４】
図５は、図１下正面図の各単部品図を示し、図６は、図５単部品図の中央部を断面Ｂ−Ｂで見た前断面図を示し、図７は、図５単部品図の前側面図を示す。
【００６５】
イメージセンサ２と第一固定部材２０とにより構成される光電変換ユニットと、調整部材としての第二固定部材３０が摺動接触する第１の摺動接触部について説明する（また、第一固定部材２０と第二固定部材３０とにより第１のユニットが構成される）。
【００６６】
図１５はイメージセンサ２とともに光電変換ユニットを構成する第一固定部材２０を示す図であり、（ａ）と（ｂ）は第一固定部材２０をそれぞれ反対側から見た図である。図１５に示すように、第一固定部材２０には、その両端に調整部材としての第二固定部材３０と接着するための接着用板部（延出部）２１が二ヶ所備えられている。
【００６７】
二ヶ所の接着用板部２１には、それぞれに、第二固定部材３０と嵌合するための嵌合リブ２２（断面略Ｔ形状部をなす）と、接着剤が接着用板部２１の裏面に流れ込むための接着用穴部２３と、接着剤が接着用板部２１にまんべんなく広がるための接着用溝部２４とを持つ。接着用溝部２４は、接着用板部２１の裏面にも形成されいる。なお、溝部２４は線状に形成されているが、曲率を有するように形成しても良い。
【００６８】
イメージセンサ２は、電気基板に備えられており、第一固定部材２０の固定用ボス２５にビスネジ（第２の取付部材）５２にて固定され光電変換ユニットをなし、図示していないフレキシブル電気ケーブルにて光電変換された信号を送り出す。
【００６９】
第二固定部材３０には、その両端に第一固定部材２０の接着用板部２１の表裏両面と摺動接触し、かつ接着するための接着用板部（嵌合部、揺動面部）３１，３２を二ヶ所備えられる。
【００７０】
二ヶ所の接着用板部３１には、それぞれに、第一固定部材２０の嵌合リブ２２と嵌合するための嵌合受け部３３を持ち、この嵌合受け部３３の下方に位置する接着用板部３２は平面であり、このような嵌合受け部を持たない。
【００７１】
調整部材としての第二固定部材３０と、枠体としての第三固定部材（第２のユニット）４０が摺動接触する第２の摺動接触部（接着剤による接着部）について説明する。
【００７２】
図１４は、それぞれ接着される第二固定部材３０と第三固定部材４０との接着面を示している。図１４に示すように、第二固定部材３０は、第三固定部材４０との接着面（第１の平面部）と、側面には、接着剤を流し込むための注ぎ口（切り欠き状部）３４を数箇所と、を持つ。また、接着面には接着剤がまんべんなく広がるための接着用溝部３５が形成されている。なお、溝部３５は第三固定部材４０との接着領域の外部に渡って設けられるのが好ましい。
【００７３】
接着用溝部３５に流し込まれた接着剤は表面張力等により注ぎ口３４とは反対側の側面に向けて広がっていく。また、接着時、接着用溝部３５の溝方向は、自重で接着剤が流れ込む方向に成っている。なお、本実施の形態では溝部３５は線状に形成されているが、曲率を有するように形成しても良い。
【００７４】
また第二固定部材３０の中央部には、イメージセンサ２よりも広い開口部３６を持ち、組立て調整時にイメージセンサ２と干渉しないように成っている。
【００７５】
第三固定部材４０には、第二固定部材３０の側面が摺動接触し、かつ接着するための接着面（第２の平面部）を持ち、第二固定部材３０が必ず摺動接触するように、背後より係合する係合手段としての係合部４１を持つ。
【００７６】
第三固定部材４０の摺動接触接着面には接着用溝部４２が形成され、この溝方向は第二固定部材３０の接着用溝部３５と交差するように設けられている（本実施形ではほぼ直交する方向に交差している）。なお、本実施の形態では溝部４２は第二固定部材３０との接着領域の外部に渡って設けられるのが好ましい。また、溝部４２は線状に形成されているが、曲率を有するように形成しても良い。
【００７７】
従って、第二固定部材３０と第三固定部材４０とが係合部４１により係合され、第二固定部材３０の接着面と第三固定部材４０の接着面とが接触された状態で、注ぎ口３４より流し込まれた接着剤は、第二固定部材３０と第三固定部材４０の摺動接触接着面全体に表面張力等によりまんべんなく広がるように成っている。
【００７８】
また第三固定部材４０の中央部には、第二固定部材３０の中央部と同様に、イメージセンサ２よりも広い開口部４３を持ち、組立て調整時にイメージセンサ２と干渉しないように成っている。
【００７９】
第三固定部材４０は、キャリッジ１本体に嵌合位置決めされ、ビスネジ（第１の取付部材）５１にて固定される。固定用ビスネジ５１は、第一固定部材２０及び第二固定部材３０の調整移動範囲外、又は図のような段差部に設けることにより、組立後でも他の部品と干渉せずに取り外し可能な構成としている。
【００８０】
図８は、接着工程前の下正面組立図を示し、図９は、接着工程前の左側面組立図を示す。
【００８１】
まず、キャリッジ１本体側は、第三固定部材４０を嵌合位置決めしてビスネジ固定し、第三固定部材４０に第二固定部材３０が、摺動接触するように係合部４１との間に挟持させておく。
【００８２】
イメージセンサ２を備えた電気基板は、第一固定部材２０の固定用ボス２５にビスネジにて固定して、イメージセンサユニットを組み立てる。
【００８３】
ここでイメージセンサ２の調整移動方向を確認しておく。
【００８４】
イメージセンサユニットは一体であり、第一固定部材２０の接着用板部２１と、第二固定部材３０の接着用板部３１，３２が、摺動接触可能であるためその調整移動方向は、Ｚ−Ｓ（Ｚ軸方向の平行移動）と、Ｙ−Ｒ（Ｙ軸に対し回転移動）となる。
【００８５】
第二固定部材３０と、キャリッジ１本体と一体である第三固定部材４０とが、係合部４１で挟持されているだけなので、摺動接触可能であり、その調整移動方向は、Ｘ−Ｓ（Ｘ軸方向の平行移動）と、Ｙ−Ｓ（Ｙ軸方向の平行移動）と、Ｚ−Ｒ（Ｚ軸に対し回転移動）とになる。
【００８６】
これにより五方向の自由度が確保され、光学調整可能となる。
【００８７】
図１０は、第一固定部材２０を第二固定部材３０に対して調整移動Ｙ−Ｒ時計回りに移動させた下正面図を示し、図１１は、第一固定部材２０を第二固定部材３０に対して調整移動Ｙ−Ｒ反時計回りに移動させた下正面図を示す。
【００８８】
イメージセンサ２と一体となった第一固定部材２０を組立調整治具の移動調整部にもたせ、一方、第二固定部材３０と第三固定部材４０を組まれたキャリッジ１本体は、組立調整治具の固定部に持たせる。
【００８９】
第一固定部材２０の接着用板部２１を第二固定部材３０の接着用板部３１，３２の間に摺動接触し、かつ、第一固定部材２０の嵌合リブ２２を、第二固定部材３０の嵌合受け部３３にそれぞれ入り込むようにして、光学組立調整がはじめられる。
【００９０】
これで第一固定部材２０は、さきほど図８にて説明したＸ−Ｓ方向移動することになる。次に、Ｙ−Ｒ方向移動について説明する。
【００９１】
図１０ではＹ−Ｒ方向時計回り、図１１ではＹ−Ｒ方向反時計回りに移動する際、嵌合リブ２２と嵌合受け部３３は部分接触するが、第一固定部材２０は第二固定部材３０に対して自由度が保たれる。
【００９２】
さらに図から解るように、第一固定部材２０の接着剤が接着用板部２１の裏面に流れ込むための接着用穴部２３は、第二固定部材３０の嵌合受け部３３よりそれぞれ確認でき、接着用板部３１の影に隠れてしまうことがない。これにより、キャリッジ１の裏側から接着剤を接着用板部２１裏面と接着用板部３２表面の間に確実に流し込むことができる。
【００９３】
また、イメージセンサ２が光学組立調整時に、第二固定部材３０および第三固定部材４０に埋まってしまう位置になっても、それぞれイメージセンサ２よりも広い開口部３６，４３を持つため、調整範囲を狭めることがない。
【００９４】
図１２は、第一固定部材２０を第二固定部材３０に対して調整移動Ｚ−Ｒ回転の移動を説明する左側面図を示し、図１３は、第一固定部材２０を第二固定部材３０に対して調整移動Ｘ−Ｓ方向の移動を説明する左側面図を示す。
【００９５】
嵌合リブ２２と嵌合受け部３３の嵌合関係、および接着用板部２１と接着板部３１，３２との摺動接触関係より、第一固定部材２０のＸ−Ｓ方向、Ｙ−Ｓ方向、Ｚ−Ｒ方向の調整移動に連動して、第二固定部材３０も移動する。
【００９６】
第二固定部材３０は、第三固定部材４０の係合部４１によりその背後より付勢され、第三固定部材４０の接着面に必ず摺動接触することで、第三固定部材４０に対して、第一固定部材２０がその調整移動を制約することがない。
【００９７】
第一固定部材２０が、Ｚ−Ｒ方向時計回りに移動する際は図１２のようになり、Ｘ−Ｓ方向の移動する際は図１３のようになり、Ｙ−Ｓ方向の移動は図１３と同様であるので省略する。これにより第一固定部材２０の自由度が保たれる。
【００９８】
第一固定部材２０と一体となったイメージセンサ２の、キャリッジ１に対して光学調整され位置が定められたら、接着剤による接着工程を行うことにする。
【００９９】
第一固定部材２０と第二固定部材３０と、第二固定部材３０と第三固定部材４０とは、それぞれ必ず摺動接触し、すなわち接着面を必ず持つことになっている。
【０１００】
図４の拡大断面図部にて説明する。
【０１０１】
第一固定部材２０と第二固定部材３０の接着は、嵌合リブ２２の傍らから嵌合受け部３３との隙間に、接着剤を流し注ぎ込む。
【０１０２】
注ぎ込まれた接着剤の一部は、接着用板部２１の表面の接着用溝部２４にてまんべんなく広がり、接着用板部２１と接着用板部３１とを接着固定する。
【０１０３】
また一部は、接着用板部２１の裏面に流れ込むための接着用穴部２３を通り、下方に位置する接着用板部３２（受け部）まで達する。接着用板部３２は、嵌合受け部を持たないので、接着剤がさらに下方に流れ落ちることがない。
【０１０４】
この接着剤は接着用板部２１の裏面の接着用溝部により、まんべんなく広がって接着用板部２１と接着用板部３２とを接着する。つまり各接着用板部は、サンドイッチ状態で強固に接着固定されることとなる。
【０１０５】
第二固定部材３０と第三固定部材４０の接着は、第二固定部材３０の接着剤を流し込むために数箇所もうけられた注ぎ口３４より注ぎ込むことで行われる。注ぎ口３４は接着剤が接着用溝部３５へ流れるように、第二固定部材３０と第三固定部材４０が接触したときに切り欠き状の形状をなす。
【０１０６】
注ぎ込まれた接着剤は、第二固定部材３０の接着用溝部３５が、接着剤の自重にて流れ込む方向になっているので、その溝部３５に沿って流れて行く。
【０１０７】
また、接着用溝部３５とほぼ直交する方向に、第三固定部材４０には接着用溝部４２を持つので、接着剤はまんべんなく摺動接触面に広がって、第二固定部材３０と第三固定部材４０とを強固に接着固定する。これによりイメージセンサ２は、キャリッジ１に対して光学調整位置決めがされる。
【０１０８】
さらに、接着工程にてわずかながらイメージセンサがズレてしまった組立不良や、部品交換が必要になった場合にも、本実施の形態の構成は都合が良い。
【０１０９】
各固定部材は接着され一体化してしまうが、第三固定部材４０のキャリッジ１ヘの固定ビスネジ５１は、第一固定部材２０および第二固定部材３０の調整範囲外、または段差部に設けることにより、他の部品に干渉せずに取り外し可能なので、一体化した固定部材部のみ取り外せる。
【０１１０】
つまり、レンズユニット等を組み付けた画像読取ユニット本体は、そのまま簡単に再生可能であり、イメージセンサ２の電気基板においても、第一固定部材２０の固定ビスネジ５２を外すことで簡単に再生可能である。
【０１１１】
また、本実施の形態に使用される瞬間接着剤は、他の低粘度の接着剤を利用しても同様な効果を得ることができ、接着剤の特性として、各固定部材の溝部内での接着剤の広がりやすさを考慮すると、接着剤の動粘性係数νは、１．０×１０-3 〜２．０×１０-6 （ｍ2／ｓ）であるのが好ましい。なお、動粘性係数νは、以下の式にて表すことができる。
【０１１２】
ν  ＝  μ／ρ
但し、  μ：流体の粘性係数（Ｐａ・ｓ）
ρ：流体の密度（ｋｇ／ｍ3）
このような動粘性係数の接着剤を用いることにより、上記溝部内での接着剤の広がり性を良好にすることができ、各固定部材間の接着性を向上することができる。
【０１１３】
【発明の効果】
以上説明したように、本発明によれば、第１及び第２のユニットは、第１及び第２の平面部が密着された後、溝に接着剤が流し込まれて固定されるので、光電変換手段を備えたユニットを本体に固定する際の組立性を向上させることが可能となる。
【０１１４】
さらに、光電変換手段は調整部材により５方向に独立して移動可能とされ、光学調整後、第１及び第２の摺動接触部は瞬間接着剤または低粘度の接着剤により固定されるので、光学調整の作業性を向上させることができ、本体に光電変換手段を固定する際の組立性を向上させることが可能となる。
【０１１５】
さらに、第１の取付部材は光電変換ユニット及び調整部材との干渉範囲外に取り付けられるので、もし、光学調整不良を起こした場合でも、第１の取付部材をはずすことにより、画像読取ユニット本体及び光電変換手段の再生利用を簡単に行うことが可能となる。
【図面の簡単な説明】
【図１】本実施の形態に係る画像読取ユニットを示す概略図であり、図１７におけるキャリッジ拡大断面図を下方より見た下正面図を示す。
【図２】図１の下正面図の左側面図を示す。
【図３】図１の下正面図の中央部を断面Ａ−Ａで見た前断面図を示す。
【図４】図１の下正面図の前側面図であり、主要部の拡大断面で示す。
【図５】図１の下正面図の各単部品図を示す。
【図６】図５の単部品図の中央部を断面Ｂ−Ｂで見た前断面図を示す。
【図７】図５の単部品図の前側面図を示す。
【図８】接着工程前の下正面組立図を示す。
【図９】接着工程前の左側面組立図を示す。
【図１０】第一固定部材２０を第二固定部材３０に対して調整移動Ｙ−Ｒ時計回りに移動させた下正面図を示す。
【図１１】第一固定部材２０を第二固定部材３０に対して調整移動Ｙ−Ｒ反時計回りに移動させた下正面図を示す。
【図１２】第一固定部材２０を第二固定部材３０に対して調整移動Ｚ−Ｒ回転の移動を説明する左側面図を示す。
【図１３】第一固定部材２０を第二固定部材３０に対して調整移動Ｘ−Ｓ方向の移動を説明する左側面図を示す。
【図１４】第二固定部材と第三固定部材の接着面を説明する図を示す。
【図１５】第一固定部材の第二固定部材に接着される接着面を説明する図を示す。
【図１６】画像読取ユニット（キャリッジ）の基本構成図を示す。
【図１７】画像読取ユニット（キャリッジ）の拡大断面図を示す。
【図１８】画像読取装置を示す概略断面図である。
【符号の説明】
１  キャリッジ
２  イメージセンサ
３  照明ランプ
４，５  反射笠
６  第一ミラー
７  第二ミラー
８  第三ミラー
９  第四ミラー
１０  第五ミラー
１１  レンズユニット
２０  第一固定部材
２１  接着用板部
２２  嵌合リブ
２３  接着用穴部
２４，３５，４２  接着用溝部
２５  固定用ボス
３０  第二固定部材
３１，３２  接着用板部
３３  嵌合受け部
３４  注ぎ口
３６，４３  開口部
４０  第三固定部材
４１  係合部
４２  接着用溝部
５１，５２  ビスネジ
９１  原稿台ガラス
９２  原稿圧板
Ｐ  原稿
Ｘ−Ｓ  Ｘ軸平行移動
Ｙ−Ｓ  Ｙ軸平行移動
Ｚ−Ｓ  Ｚ軸平行移動
Ｙ−Ｒ  Ｙ軸回転移動
Ｚ−Ｒ  Ｚ軸回転移動
【図１】
0003950637.tif 000002
【図２】
0003950637.tif 000003
【図３】
0003950637.tif 000004
【図４】
0003950637.tif 000005
【図５】
0003950637.tif 000006
【図６】
0003950637.tif 000007
【図７】
0003950637.tif 000008
【図８】
0003950637.tif 000009
【図９】
0003950637.tif 000010
【図１０】
0003950637.tif 000011
【図１１】
0003950637.tif 000012
【図１２】
0003950637.tif 000013
【図１３】
0003950637.tif 000014
【図１４】
0003950637.tif 000015
【図１５】
0003950637.tif 000016
【図１６】
0003950637.tif 000017
【図１７】
0003950637.tif 000018
【図１８】
0003950637.tif 000019